【手続補正書】
【提出日】平成16年11月19日(2004.11.19)
【手続補正１】
【補正対象書類名】明細書
【補正対象項目名】特許請求の範囲
【補正方法】変更
【補正の内容】
【特許請求の範囲】
【請求項１】
カソード流場プレートと、
アノード流場プレートと、
アノード触媒と、
カソード触媒と、
触媒材料及びプロトン交換材からなるプロトン交換薄膜とからなり、
前記触媒材料は前記プロトン交換材に組み込まれ、前記カソード触媒は前記プロトン交換薄膜と前記カソード流場プレートの間にあり、前記プロトン交換薄膜は前記カソード触媒と前記アノード触媒の間にあり、前記カソード触媒の平面の面積は前記アノード触媒の平面の面積の約９０〜９９．９％である燃料電池。
【請求項２】
前記触媒材料は、水を形成するための水素と酸素の反応に触媒作用を及ぼすことが可能な材料からなる請求項１に記載の燃料電池。
【請求項３】
前記触媒材料は、金属及び合金からなるグループから選択された材料からなる請求項２に記載の燃料電池。
【請求項４】
前記触媒材料は白金を含む請求項３に記載の燃料電池。
【請求項５】
前記触媒材料は個々の粒子の形態である請求項１に記載の燃料電池。
【請求項６】
前記触媒材料は、前記プロトン交換薄膜の電気伝導率が、プロトン交換材の電気伝導率とほぼ同じとなるような量である請求項１に記載の燃料電池。
【請求項７】
前記燃料プロトン交換薄膜は所定の厚さを有し、該プロトン交換薄膜は、その厚さの１マイクロメータ当たり約０．０００１〜０．０１０ミリグラムの前記触媒材料を１平方センチメートル当たりに含有する請求項１に記載の燃料電池。
【請求項８】
前記プロトン交換材は過フッ素化されたスルホン酸材料を含有する請求項１の燃料電池。
【請求項９】
カソード流場プレートと、アノード流場プレートと、
アノード触媒と、カソード触媒と、
触媒材料及びプロトン交換材からなるプロトン交換薄膜と、前記触媒材料は、前記プロトン交換材に組み込まれること、前記カソード触媒は前記プロトン交換薄膜と前記カソード流場プレートの間にあることとからなる第１の燃料電池と、
カソード流場プレートと、アノード流場プレートと、プロトン交換薄膜とからなる第２の燃料電池と、
前記第１及び第２の燃料電池のカソード流場プレートは、液体により連通し、前記第１及び第２の燃料電池のアノード流場プレートは、液体により連通し、前記第１の燃料電池
の前記プロトン交換薄膜は前記第１の燃料電池の前記カソード触媒と前記アノード触媒の間にあることと、前記第１の燃料電池の前記カソード触媒の平面の面積は前記アノード触媒の平面の面積の約９０〜９９．９％である、燃料電池システム。
【請求項１０】
前記触媒材料が、水を形成するための水素と酸素の反応に触媒作用を及ぼすことが可能な材料からなる請求項９に記載の燃料電池システム。
【請求項１１】
前記触媒材料は、金属及び合金からなるグループから選択された材料からなる請求項１０に記載の燃料電池システム。
【請求項１２】
前記触媒材料は白金を含む請求項１１に記載の燃料電池システム。
【請求項１３】
前記触媒材料は個々の粒子の形態である請求項９に記載の燃料電池システム。
【請求項１４】
前記触媒材料は、前記プロトン交換薄膜の電気伝導率が、前記プロトン交換材の電気伝導率とほぼ同じとなるような量である請求項９に記載の燃料電池システム。
【請求項１５】
前記燃料プロトン交換薄膜は所定の厚さを有し、該プロトン交換薄膜は、その厚さの１マイクロメータ当たり約０．０００１〜０．０１０ミリグラムの前記触媒材料を１平方センチメートル当たりに含有する請求項９に記載の燃料電池システム。
【請求項１６】
前記プロトン交換材は過フッ素化されたスルホン酸材料を含有する請求項９に記載の燃料電池システム。
【請求項１７】
所定の平面領域を有するカソード触媒と、
所定の平面領域を有するアノード触媒と、
前記カソード触媒及びアノード触媒の間のプロトン交換薄膜とからなり、
前記カソード触媒の平面領域は、前記アノード触媒の平面領域の約９０〜９９．９％である薄膜電極アセンブリ。
【請求項１８】
前記カソード触媒の平面領域は、前記アノード触媒の平面領域の約９５〜９９．５％である請求項１７に記載の薄膜電極アセンブリ。
【請求項１９】
前記カソード触媒の平面領域は、前記アノード触媒の平面領域の約９７〜９９％である請求項１７に記載の薄膜電極アセンブリ。
【請求項２０】
前記カソード触媒の平面領域は、前記アノード触媒の平面領域の約９８％である請求項１７に記載の薄膜電極アセンブリ。
【請求項２１】
前記プロトン交換薄膜は、触媒材料及びプロトン交換材からなり、前記触媒材料はプロトン交換材に組み込まれている請求項１７に記載の薄膜電極アセンブリ。
【請求項２２】
前記触媒材料が、水を形成するための水素と酸素の反応に触媒作用を及ぼすことが可能な材料からなる請求項２１に記載の燃料電池。
【請求項２３】
入口領域を有するカソード流場プレートと、
入口領域を有するアノード流場プレートと、
前記カソード及びアノード流場プレートの間のプロトン交換薄膜と、該プロトン交換薄膜は触媒材料及びプロトン交換材からなることと、前記触媒材料はプロトン交換材に組み入れられていることと、
前記プロトン交換薄膜及び前記カソード流場プレートの間のカソード触媒と、
前記プロトン交換薄膜及び前記アノード流場プレートの間のアノード触媒とからなり、
前記カソード流場プレートの入口領域に隣接する領域は前記カソード触媒をほとんど含有せず、前記プロトン交換薄膜は前記カソード触媒と前記アノード触媒の間にあり、前記カソード触媒の平面の面積は前記アノード触媒の平面の面積の約９０〜９９．９％である燃料電池。
【請求項２４】
前記カソード流場プレートの入口領域に隣接する領域は前記カソード触媒をほとんど含有しない請求項２３に記載の燃料電池。
【請求項２５】
前記触媒材料が、水を形成するための水素と酸素の反応に触媒作用を及ぼすことが可能な材料からなる請求項２３に記載の燃料電池。
【手続補正２】
【補正対象書類名】明細書
【補正対象項目名】００２１
【補正方法】変更
【補正の内容】
【００２１】
【課題を解決するための手段】
上記問題点を解決するために、請求項１に記載の発明は、カソード流場プレートと、アノード流場プレートと、アノード触媒と、カソード触媒と、触媒材料及びプロトン交換材からなるプロトン交換薄膜とからなり、前記触媒材料は前記プロトン交換材に組み込まれ、前記カソード触媒は前記プロトン交換薄膜と前記カソード流場プレートの間にあり、前記プロトン交換薄膜は前記カソード触媒と前記アノード触媒の間にあり、前記カソード触媒の平面の面積は前記アノード触媒の平面の面積の約９０〜９９．９％である燃料電池を要旨とする。
【手続補正３】
【補正対象書類名】明細書
【補正対象項目名】００２７
【補正方法】変更
【補正の内容】
【００２７】
請求項８に記載の発明は、請求項１の燃料電池において、前記プロトン交換材は過フッ素化されたスルホン酸材料を含有することを要旨とする。
請求項９に記載の発明は、カソード流場プレートと、アノード流場プレートと、アノード触媒と、カソード触媒と、触媒材料及びプロトン交換材からなるプロトン交換薄膜と、前記触媒材料は、前記プロトン交換材に組み込まれること、前記カソード触媒は前記プロトン交換薄膜と前記カソード流場プレートの間にあることとからなる第１の燃料電池と、カソード流場プレートと、アノード流場プレートと、プロトン交換薄膜とからなる第２の燃料電池と、前記第１及び第２の燃料電池のカソード流場プレートは、液体により連通し、前記第１及び第２の燃料電池のアノード流場プレートは、液体により連通し、前記第１の燃料電池の前記プロトン交換薄膜は前記第１の燃料電池の前記カソード触媒と前記アノード触媒の間にあることと、前記第１の燃料電池の前記カソード触媒の平面の面積は前記アノード触媒の平面の面積の約９０〜９９．９％である、燃料電池システムを要旨とする。
【手続補正４】
【補正対象書類名】明細書
【補正対象項目名】００３９
【補正方法】変更
【補正の内容】
【００３９】
請求項２３に記載の発明は、入口領域を有するカソード流場プレートと、入口領域を有するアノード流場プレートと、前記カソード及びアノード流場プレートの間のプロトン交換薄膜と、該プロトン交換薄膜は触媒材料及びプロトン交換材からなることと、前記触媒材料はプロトン交換材に組み入れられていることと、前記プロトン交換薄膜及び前記カソード流場プレートの間のカソード触媒と、前記プロトン交換薄膜及び前記アノード流場プレートの間のアノード触媒とからなり、前記カソード流場プレートの入口領域に隣接する領域は前記カソード触媒をほとんど含有せず、前記プロトン交換薄膜は前記カソード触媒と前記アノード触媒の間にあり、前記カソード触媒の平面の面積は前記アノード触媒の平面の面積の約９０〜９９．９％である燃料電池を要旨とする。
【手続補正５】
【補正対象書類名】明細書
【補正対象項目名】００４０
【補正方法】変更
【補正の内容】
【００４０】
請求項２４に記載の発明は、請求項２３に記載の燃料電池において、前記カソード流場プレートの入口領域に隣接する領域は前記カソード触媒をほとんど含有しないことを要旨とする。
【手続補正６】
【補正対象書類名】明細書
【補正対象項目名】００４１
【補正方法】削除
【補正の内容】
【手続補正７】
【補正対象書類名】明細書
【補正対象項目名】００４２
【補正方法】変更
【補正の内容】
【００４２】
請求項２５に記載の発明は、請求項２３に記載の燃料電池において、前記触媒材料が、水を形成するための水素と酸素の反応に触媒作用を及ぼすことが可能な材料からなることを要旨とする。
【手続補正８】
【補正対象書類名】明細書
【補正対象項目名】００４３乃至００５２
【補正方法】削除
【補正の内容】